(57)【要約】【課題】  所望のカット率が安定して得られるだけでなく、一回の動作で長短が変化するソフトな刈り方ができるために、効率的に自然な仕上がりとなり、また、疲れなく使用しやすい理髪用の梳き鋏を提供する。【解決手段】  軸により開閉可能に枢着される動刃と静刃とのうちの少なくとも一方を歯部片が列設される櫛歯状に形成し、各歯部片の先端の刃口にその口幅の中央部へ傾斜により低くなる窪み刃を形成した。【効果】  刃口に髪が掛かりやすいために所望のカット率が安定して得られることはもちろん、掛かる箇所が傾斜した窪み刃であることから、一回の動作でも長短が変化する刈り方ができるために、効率的にソフトで自然な仕上がりとなり、また、疲れなく使用しやすい。【選択図】    図１
2007020976.tif 000002
【特許請求の範囲】
【請求項１】
軸により開閉可能に枢着される動刃と静刃とのうちの少なくとも一方を歯部片が列設される櫛歯状に形成し、各歯部片の先端の刃口にその口幅の中央部へ傾斜により低くなる窪み刃を形成したことを特徴とする理髪用の梳き鋏。
【請求項２】
窪み刃の低くなる中央に凹欠部を設けたことを特徴とする請求項１記載の理髪用の梳き鋏。
【請求項３】
動刃または静刃に列設される歯部片を先端が刃先側に傾斜する先流れ形状に形成したことを特徴とする請求項１または２記載の理髪用の梳き鋏。
【請求項４】
動刃または静刃の基端から先端に歯部片の間隔を幾つかの群に段階的に変化させて形成したことを特徴とする請求項１，２または３記載の理髪用の梳き鋏。
【請求項５】
櫛歯状に形成した動刃または静刃の基端を幅広い直刃の鋏元に形成したことを特徴とする請求項１，２，３または４記載の理髪用の梳き鋏。
【発明の詳細な説明】
【技術分野】
【０００１】
この発明は、理容・美容において髪を段差のない自然な疎らに切るために使用する理髪用の梳き鋏に関する。
【背景技術】
【０００２】
梳き鋏は、刈った髪が自然な形になるように整えるために主に仕上げに用いる鋏であって、これには、短く刈った髪が混在するように、一方の刃、一般的には動刃に櫛歯状に多数の歯部片が間隔おきに形成されたもので、この間隔の空間では髪が刈られなく、歯部片の先では刈られることになるために、理髪の仕上げにおいて使用することにより、髪の量が少なくなくなるように梳くことができる。
【０００３】
理髪用の鋏の構造は、この発明の実施形態を示す図１について説明すると、それぞれ柄４，５を有する動刃１と、静刃２とが軸３により枢着されたもので、静刃の柄には薬指が嵌まるリング７と小指掛け９が形成され、動刃の柄には親指が嵌まるリング６が形成される。そして、主に親指の反復動作に伴う動刃１の運動により開閉がなされ、その動刃が普通には歯部片１１，１１，・・が列設される櫛歯状に形成されていた。
【０００４】
しかしながら、上記のような従来の理髪用の梳き鋏によれば、刈り取るために各歯部片の刃先に掛かった髪がぬけやすいためにカット率が不安定であり、髪の質によっては少ない回数の開閉動作では段差のない自然なソフト感の仕上げになり難く、また、段差が付きやすいこともあった。さらに、歯部片は刃先の方向が鋏元の方向に向く円弧形であったから、切り難く開閉に抵抗が掛かりやすいなどの問題もあった。
【発明の開示】
【発明が解決しようとする課題】
【０００５】
この発明は、上記のような実情に鑑みて、所望のカット率が安定して得られるだけでなく、一回の動作で長短が変化するソフトな刈り方ができるために、効率的に自然な仕上がりとなり、また、疲れなく使用しやすい理髪用の梳き鋏を提供することを課題とした。
【課題を解決するための手段】
【０００６】
上記の課題を解決するために、この発明は、軸により開閉可能に枢着される動刃と静刃とのうちの少なくとも一方を歯部片が列設される櫛歯状に形成し、各歯部片の先端の刃口にその口幅の中央部へ傾斜により低くなる窪み刃を形成したことを特徴とする理髪用の梳き鋏を提供するものである。
【０００７】
理髪用の梳き鋏を上記のように構成したから、従来の梳き鋏と同様に手首を９０°の角度に回す反復動作を伴わせながら静刃に対して動刃を開閉することにより髪を刈り取ると、歯部片の先端の刃口の窪み刃に髪が掛かるために、抜けることなく各歯部片により切り取って髪を確実に梳くことができ、しかも
、刃口の傾斜により徐々に長さが変化するように刈ることができ、したがって、例えて言えば、従来数回の開閉動作が１回になるというように作業が能率的となる。
【０００８】
また、窪み刃の低くなる中央に凹欠部を設けると（請求項２）、凹欠部では刈り残されるので、さらに自然な髪に梳くことができる。
【０００９】
さらに、動刃または静刃に列設される歯部片を先端が刃先側に傾斜する先流れ形状に形成すると（請求項３）、刃が元から先へと抵抗なく閉まるために切りやすく、また、刃口からの髪の滑りが止められ確実に切ることができる。
【００１０】
さらに、動刃または静刃の基端から先端に歯部片の間隔を幾つかの群に段階的に変化させて形成すると、段差がつきにくく髪をさらにソフト感に仕上げることができる。
【００１１】
また、櫛歯状に形成した動刃または静刃の基端を幅広い直刃の鋏元に形成すると（請求項５）、梳く作業中であっても、必要があるときは同じ鋏で髪を直線にも切ることができる。つまり、２役に使うことができる。
【発明の効果】
【００１２】
以上説明したように、この発明の理髪用の梳き鋏によれば、刃口に髪が掛かりやすいために所望のカット率が安定して得られることはもちろん、掛かる箇所が傾斜した窪み刃であることから、一回の動作でも長短が変化する刈り方ができるために、効率的にソフトで自然な仕上がりとなり、また、疲れなく使用しやすいという優れた効果がある。
【発明を実施するための最良の形態】
【００１３】
次に、この発明の実施形態を図面に基づいて説明する。
【００１４】
図１および図２は一実施の形態を示したもので、その理髪用の梳き鋏は、動刃１と静刃２とが軸３により枢着され動刃１が櫛歯状に形成される。なお、動刃１の柄４には親指が嵌まるリング６を、静刃２の柄５には薬指を通すリング７と、小指掛け９とが形成される。
【００１５】
動刃１の櫛歯状の形状について、各歯部片１１，１１，・・は、先端が刃先側Ｐへなびく円弧状の弓形に形成される。そのため、刃を閉じると各歯部片１１，１１，・・が静刃２を受ける太刀体勢であるため、髪が確実に切られることになる。また、梳く率が多様となるように、それらの間隔ａ，ｂ，ｃが先端に行くにつれて広く３段階の群Ｗａ，Ｗｂ，Ｗｃに形成され、また、動刃１の基端の鋏元１３は櫛歯のない直刃に形成され、ここでは直に髪を切ることができるようになっている。
【００１６】
各歯部片１１，１１，・・における刃口１５は、鋏元１３の方向側Ｑの端に突起刃１７を、反対の刃先側Ｐの端になだらかな突起形の丸み隆起刃１９をそれぞれ突設し、その間に突起刃１７から丸み隆起刃１９へ徐々に高くなる丸み窪み刃２１が形成される。したがって、窪み刃２１に髪が掛かるために確実に刈られると同時に、丸みや傾斜により長短が揃わない自然な切り方となり、また、鋏が髪から抜けやすく取り扱い操作が容易である。
【００１７】
図３および図４は、動刃１（または静刃２）における歯部片１１，１１，・・の形状をそれぞれ示したもので、歯部片１１は、前記実施形態におけると同様に、刃先側Ｐへなびく円弧状に形成され、その先端の刃口１５に刃先側Ｐの端において突縁刃１８が形成され、突縁刃１８の根元から鋏元１３側へ徐々に隆起してから下がる大丸みに形成して窪み刃２１が設けられる。また、図４においては、刃口１５が凹凸の交互する段々刃として形成されることにより、段々に窪み刃２１，２１，２１が形成される。
【００１８】
図５ないし図１１は、動刃１と静刃２とを対にして、刃形の実施形態をそれぞれ示したもので、図５では、動刃１が普通の鋏と同様の直刃（または幅広刃）、静刃２が丸み凹曲の刃口１５として形成されることにより窪み刃２１が形成される。したがって、凹曲に沿って髪が微妙な長短に刈られることになる。
【００１９】
また、図６では、動刃１が普通の鋏と同様の直刃（または幅広刃）であるのに対して、静刃２の刃口１５がＶ字の窪み刃２１となっている。したがって、Ｖ字形に沿って髪が長短に切られることになる。
【００２０】
さらに、図７の場合は、動刃１の刃口１５がＶ字形の窪み刃２１であるのに対して、静刃２は幅広刃であるとともに、動刃１の刃口１５に対応する箇所にＶ字の窪み刃２１，２１が形成され、その谷部に凹欠部２２が形成される。したがって、長短に髪が刈られると同時に、この凹欠部２２においては、髪が刈り残される。
【００２１】
図８の場合であると、動刃１の刃口１５が直に形成されているのに対して、静刃２の刃口１５は、Ｖ字の窪み刃２１であると同時に凹欠部２２が形成されている。また、図９では、動刃１と静刃２とはＶ字の窪み刃２１で且つ凹欠部２２となっているので、いずれの場合も、長短に刈られると同時に一部が刈り残される。
【００２２】
図１０の場合は、動刃１と静刃２がそれぞれＶ字突刃として刃口１５を形成し、静刃２ではＶ字の窪み刃２１の中央に凹欠刃２４が設けてあって、徐々に長短に刈られると同時に、凹欠刃２４において少し長く刈られるようになっている。
【００２３】
図１１の場合は、動刃１の刃口１５が直刃として形成され、静刃２の刃口１５が凹曲の窪み刃２１として形成するとともに、その中央に凹欠部２２が形成されているので、徐々に長短に刈られると同時に一部が凹欠部２２で刈り残される。
【００２４】
図１２及び図１３は、さらに別の実施形態を示した図で、共に、基本形はＶ字窪み刃２１と中央部の凹欠刃２４より成るが、図１２では凹欠刃２４の基端部とＶ字窪み刃２１の先端部の境界で滑止刃２５が突設されている。この滑止刃２５の存在により、毛髪が凹欠刃２４内に過度に滑り込むのを抑制することができる。
【００２５】
そして、図１３に示すように、凹欠刃２４の形状を内部ほど拡がる略二等辺三角形状にすることにより、その深さとの関係で（刃の先端から凹欠刃の底辺までが特に約１．３ｍｍ以上では）、毛髪が切れずに残って、梳き鋏としての機能性を向上させることができる。なお、動刃及び／又は静刃は、いずれも連刃であっても良く、また、いずれかが正刃であっても良いことは言うまでもない。
【００２６】
なお、以上の図５から図１３の各実施形態では、動刃１と静刃２とが逆になる場合もあるので、それを括弧で示した。
【図面の簡単な説明】
【００２７】
【図１】この発明の理髪用の梳き鋏を示す斜視図であって、一部を円内に引出し拡大して正面から見た説明図である。
【図２】同理髪用の梳き鋏の各歯部片の刃口の拡大正面図である。
【図３】他の実施形態による櫛歯状の動刃（または静刃）の正面図である。
【図４】さらに他の実施形態による櫛歯状の動刃（または静刃）の正面図である。
【図５】動刃と静刃を対にして歯形の類形を示す説明図である。
【図６】動刃と静刃を対にして歯形の類形を示す説明図である。
【図７】動刃と静刃を対にして歯形の類形を示す説明図である。
【図８】動刃と静刃を対にして歯形の類形を示す説明図である。
【図９】動刃と静刃を対にして歯形の類形を示す説明図である。
【図１０】動刃と静刃を対にして歯形の類形を示す説明図である。
【図１１】動刃と静刃を対にして歯形の類形を示す説明図である。
【図１２】動刃と静刃を対にして歯形の類形を示す説明図である。
【図１３】動刃と静刃を対にして歯形の類形を示す説明図である。
【符号の説明】
【００２８】
１  動刃
２  静刃
３  軸
１１  歯部片
１３  鋏元
１５  刃口
２１  窪み刃
２２  凹欠部
ａ，ｂ，ｃ  歯部片の間隔
Ｗａ，Ｗｂ，Ｗｃ  歯部片の群
Ｐ  刃先側
【図１】
2007020976.tif 000003
【図２】
2007020976.tif 000004
【図３】
2007020976.tif 000005
【図４】
2007020976.tif 000006
【図５】
2007020976.tif 000007
【図６】
2007020976.tif 000008
【図７】
2007020976.tif 000009
【図８】
2007020976.tif 000010
【図９】
2007020976.tif 000011
【図１０】
2007020976.tif 000012
【図１１】
2007020976.tif 000013
【図１２】
2007020976.tif 000014
【図１３】
2007020976.tif 000015